(57)【要約】【課題】ユーザが、機能毎に操作ボタンの機能をはっきりと認識することを可能とする電子機器を提供する。【解決手段】電子ペーパが付された操作ボタンを備え、各時々に複数のモードのうちの何れかのモードで動作する電子機器であって、或るモードから他の或るモードに遷移する時に、遷移後のモードにおいて各操作ボタンに割り当てられる機能を表示するための情報をその操作ボタンに対応した前記電子ペーパに書き込む手段と、サスペンドモードに遷移する時に、電子機器がサスペンドモードに遷移する直前にどのモードで動作していたのかを表示するための情報を前記電子ペーパに書き込む手段と、を備える。【選択図】図１
2008245043.tif 000002
【特許請求の範囲】
【請求項１】
電子ペーパが付された操作ボタンを備え、
各時々に複数のモードのうちの何れかのモードで動作する電子機器であって、
或るモードから他の或るモードに遷移する時に、遷移後のモードにおいて各操作ボタンに割り当てられる機能を表示するための情報をその操作ボタンに対応した前記電子ペーパに書き込む手段と、
サスペンドモードに遷移する時に、電子機器がサスペンドモードに遷移する直前にどのモードで動作していたのかを表示するための情報を前記電子ペーパに書き込む手段と、
を備えることを特徴とする電子機器。
【請求項２】
請求項１に記載の電子機器において、
前記電子ペーパには、文字、記号又は図形が書き込まれることを特徴とする電子機器。
【請求項３】
電子ペーパが付された操作ボタンを備え、
各時々に複数のモードのうちの何れかのモードで動作する電子機器における表示方法であって、
前記電子機器が、或るモードから他の或るモードに遷移する時に、遷移後のモードにおいて各操作ボタンに割り当てられる機能を表示するための情報をその操作ボタンに対応した前記電子ペーパに書き込むステップと、
前記電子機器が、サスペンドモードに遷移する時に、電子機器がサスペンドモードに遷移する直前にどのモードで動作していたのかを表示するための情報を前記電子ペーパに書き込むステップと、
を備えることを特徴とする表示方法。
【請求項４】
請求項３に記載の表示方法において、
前記電子ペーパには、文字、記号又は図形が書き込まれることを特徴とする表示方法。
【請求項５】
電子ペーパが付された操作ボタンを備え、
各時々に複数のモードのうちの何れかのモードで動作する電子機器であって、
或るモードから他の或るモードに遷移する時に、遷移後のモードにおいて各操作ボタンに割り当てられる機能を表示するための情報をその操作ボタンに対応した前記電子ペーパに書き込む手段と、
サスペンドモードに遷移する時に、電子機器がサスペンドモードに遷移する直前にどのモードで動作していたのかを表示するための情報を前記電子ペーパに書き込む手段と、
を備えることを特徴とする電子機器としてコンピュータを機能させるためのプログラム。
【請求項６】
請求項５に記載のプログラムにおいて、
前記電子ペーパには、文字、記号又は図形が書き込まれることを特徴とするプログラム。
【発明の詳細な説明】
【技術分野】
【０００１】
本発明は、電子機器に関し、特に、電子ペーパが付された操作ボタンを備える電子機器に関する。
【背景技術】
【０００２】
従来の電子機器（例えば、携帯電話機）においては、各操作ボタンに複数の機能が備えられており、その時々のモードにおいて同一の操作ボタンに対して異なった機能が対応する。
【特許文献１】特開２００６−１９１５４８号公報
【発明の開示】
【発明が解決しようとする課題】
【０００３】
そこで、各操作ボタンに、各モード毎の機能に対応した文字、記号又は図形が印刷されている。従って、例えば、３つの機能が割り当てられる操作ボタンには、３つの文字、記号又は図形が付され、視覚的に識別することが容易でなくなってきている。電子機器が高度化し、機能数が増えれば、その事態が更に深刻化する。
【０００４】
そこで、本発明は、ユーザが、機能毎に操作ボタンの機能をはっきりと認識することを可能とする電子機器を提供することを目的とする。
【課題を解決するための手段】
【０００５】
本発明によれば、電子ペーパが付された操作ボタンを備え、各時々に複数のモードのうちの何れかのモードで動作する電子機器であって、或るモードから他の或るモードに遷移する時に、遷移後のモードにおいて各操作ボタンに割り当てられる機能を表示するための情報をその操作ボタンに対応した前記電子ペーパに書き込む手段と、サスペンドモードに遷移する時に、電子機器がサスペンドモードに遷移する直前にどのモードで動作していたのかを表示するための情報を前記電子ペーパに書き込む手段と、を備えることを特徴とする電子機器が提供される。
【０００６】
上記の電子機器において、前記電子ペーパには、文字、記号又は図形が書き込まれるようにしてもよい。
【発明の効果】
【０００７】
本発明によれば、ユーザが、機能毎に操作ボタンの機能をはっきりと認識することが可能となる。
【発明を実施するための最良の形態】
【０００８】
以下、図面を参照して本発明を実施するための最良の形態について詳細に説明する。
【０００９】
本実施形態では、携帯電話機を電子機器の一例として取り上げるが、本発明では、電子機器は携帯電話機に限定されることはない。
【００１０】
図１は、本発明の実施形態による携帯電話機の構成を示すブロック図である。
【００１１】
図１を参照すると、携帯電話機は、携帯電話器機能部１０１、電子ペーパ群１０３、機能表示情報格納部１０５及びモード表示情報格納部１０７を備える。
【００１２】
携帯電話機機能部１０１は、アンテナ、ＲＦ部、ベースバンド音声処理部、マイク、スピーカ、表示部、操作ボタン群、カメラ機能部、Ｗｅｂブラウザ部などを備える。
【００１３】
電子ペーパ群１０３は、操作ボタン群の各ボタンの表面に取り付けられた電子ペーパの集合である。
【００１４】
機能表示情報格納部１０５は、携帯電話機の各動作モード毎に、各操作ボタンに対応した各電子ペーパに表示させる機能表示情報を格納している。
【００１５】
モード表示情報格納部１０７は、サスペンド状態において、各操作ボタンに対応した各電子ペーパに表示させるモード表示情報を格納している。
【００１６】
電子ペーパ制御部１０９は、電子ペーパ群に書き込む情報を制御する。
【００１７】
次に、電子ペーパ制御部１０９などの動作を図２を参照して説明する。
【００１８】
まず、現在、モード遷移があるか否かを判断する（ステップＳ２０１）。これは、携帯電話機機能部１０１の動作を見ることにより行う。
【００１９】
モード遷移がある場合には（ステップＳ２０１でＹＥＳ）、遷移後の状態において、各操作ボタンに対応した各電子ペーパに表示させるべき機能表示情報を機能表示情報格納部１０５から取得する（ステップＳ２０３）。
【００２０】
次に、ステップＳ２０３で取得した機能表示情報を電子ペーパ群１０３にある各電子ペーパに書き込む（ステップＳ２０５）。
【００２１】
次に、携帯電話機がサスペンド状態に遷移するか否かを判断する（ステップＳ２０７）。サスペンド状態においては、表示部のバックライトが消滅し、表示部が黒くなるため、ユーザは、表示部を見て、現在の動作モードが何であるのかを判断することができない。
【００２２】
サスペンドモードに遷移する場合には（ステップＳ２０７でＹＥＳ）、サスペンド状態に入る直前のモードを取得する（ステップＳ２０９）。
【００２３】
次に、ステップＳ２０９で取得したモードに対応したモード表示情報をモード表示情報格納部１０７から取得する（ステップＳ２１１）。
【００２４】
次に、ステップＳ２１１で取得したモード表示情報を電子ペーパ群１０３にある各電子ペーパに書き込む（ステップＳ１０７）。
【００２５】
ステップＳ２０１で、モード遷移がないと判断された場合には（ステップＳ２０１）、携帯電話機機能部１０１がレジュームするか否かを判断する（ステップＳ２１５）。
【００２６】
レジュームする場合には（ステップＳ２１５でＹＥＳ）レジューム後の状態において、各操作ボタンに対応した各電子ペーパに表示させるべき機能表示情報を機能表示情報格納部１０５から取得する（ステップＳ２０３）。
【００２７】
次に、ステップＳ２０３で取得した機能表示情報を電子ペーパ群１０３にある各電子ペーパに書き込む（ステップＳ２０５）。
【００２８】
なお、電子ペーパ制御部１０９は、ハードウェア、ソフトウェア又はこれらの組合せにより実現することができる。
【実施例１】
【００２９】
図３は、モードがカメラモードである場合において、各キーに割り当てられている機能を文字により表した例である。
【実施例２】
【００３０】
図４は、モードがカメラモードである場合において、各キーに割り当てられている機能を文字、図形又は記号により表した例である。
【実施例３】
【００３１】
図５は、カメラモードからサスペンド状態に入った後の状態を示す。表示部は、黒くなっているが、操作ボタンの電子ペーパに書き込まれた「カメラ起動中」という文字により、ユーザは、携帯電話機が現在カメラ起動中の状態であることを認識することができる。
【実施例４】
【００３２】
図６は、操作ボタンが現在数字入力モードにある場合の例である。
【実施例５】
【００３３】
図７は、操作ボタンが現在日本語入力モードにある場合の例である。
【実施例６】
【００３４】
図６は、操作ボタンが現在アルファベット入力モードにある場合の例である。
【図面の簡単な説明】
【００３５】
【図１】本発明の実施形態による携帯電話機の構成を示すブロック図である。
【図２】図１に示す電子ペーパ制御部などの動作を示すフローチャートである。
【図３】本発明の実施例１において、各操作ボタンの電子ペーパに表示される内容を示す図である。
【図４】本発明の実施例２において、各操作ボタンの電子ペーパに表示される内容を示す図である。
【図５】本発明の実施例３において、各操作ボタンの電子ペーパに表示される内容を示す図である。
【図６】本発明の実施例４において、各操作ボタンの電子ペーパに表示される内容を示す図である。
【図７】本発明の実施例５において、各操作ボタンの電子ペーパに表示される内容を示す図である。
【図８】本発明の実施例６において、各操作ボタンの電子ペーパに表示される内容を示す図である。
【符号の説明】
【００３６】
１０１  携帯電話機機能部
１０３  電子ペーパ群
１０５  機能表示情報格納部
１０７  モード表示情報格納部
１０９  電子ペーパ制御部
【図１】
2008245043.tif 000003
【図２】
2008245043.tif 000004
【図３】
2008245043.tif 000005
【図４】
2008245043.tif 000006
【図５】
2008245043.tif 000007
【図６】
2008245043.tif 000008
【図７】
2008245043.tif 000009
【図８】
2008245043.tif 000010